(57)【特許請求の範囲】
【請求項１】
順次搬出されるシートを束状に積載するシート積載手段と、
前記シート積載手段からのシート束を冊子状に綴合わせる後処理手段と、
前記後処理手段からのシート束を収納する収納位置と収納されたシート束を取り出す取出位置との間で移動可能に装置フレームに取付けられたスタック手段と、
前記後処理手段から前記スタック手段にシート束を案内するシート束移送経路と、
前記シート束移送経路を移動中のシート束を一時的に保持する保持位置と前記シート束移送経路から退避した退避位置との間で移動可能に構成され、前記保持位置から前記退避位置に移動することで一時的に保持したシート束をスタック手段に受け渡すバッファトレイ手段と、
前記バッファトレイ手段を前記保持位置と前記退避位置との間で移動させる移動手段と、
前記スタック手段が前記収納位置にセットされているか否かを検出する検出手段と、
前記検出手段の検出結果に基づいて前記移動手段を制御することにより前記バッファトレイ手段を移動させる制御手段と、を備え、
前記後処理手段により綴合わされたシート束が前記シート束移送経路に移送される際、前記スタック手段が前記収納位置にセットされていると前記検出手段が検出した場合、前記制御手段が前記バッファトレイ手段を前記退避位置に位置させることにより、該シート束は前記シート束移送経路から前記スタック手段に受け渡され、
前記後処理手段により綴合わされたシート束が前記シート束移送経路に移送される際、前記スタック手段が前記収納位置にセットされていないと前記検出手段が検出した場合、前記制御手段は、前記バッファトレイ手段を前記保持位置に位置させて前記バッファトレイ手段によりシート束を保持させ、前記移動手段により前記バッファトレイ手段を前記退避位置に移動させないことを特徴とするシート後処理装置。
【請求項２】
前記後処理手段は、前記シート積載手段からのシート束を冊子状に綴じ合わせるシート綴合せ手段と、このシート綴合せ手段で綴合わせた冊子状シートの周縁を裁断する裁断手段とから構成されることを特徴とする請求項１に記載のシート後処理装置。
【請求項３】
前記バッファトレイ手段は、前記後処理手段から前記スタック手段にシート束を移送するシート移送手段を備え、
このシート移送手段は、前記後処理手段からのシート束を前記スタック手段上に積載されているシート束の最上位に案内するガイド部材で構成されていることを特徴とする請求項１又は２に記載のシート後処理装置。
【請求項４】
前記バッファトレイ手段は、前記シート束移送経路にシート移送方向と直交する左右方向若しくは上下方向に移動自在に構成されていることを特徴とする請求項１乃至３の何れか１項に記載のシート後処理装置。
【請求項５】
前記スタック手段はシート束を所定角度傾斜した倒立姿勢で積層状に収納するメイントレイで構成され、
前記シート束移送経路は、前記後処理手段からシート束を前記メイントレイに向けて落下移送する経路で構成され、
前記バッファトレイ手段は、前記落下移送する経路中でシート束を一時的に係止するサブトレイで構成されていることを特徴とする請求項１乃至４の何れか１項に記載のシート後処理装置。
【請求項６】
シート上に画像を形成する画像形成装置と、
前記画像形成装置から搬出されたシートを冊子状に綴合わせて製本するシート後処理装置とから構成され、
前記シート後処理装置は請求項１乃至５の何れか１項に記載の構成を備えていることを特徴とする画像形成システム。
【発明の詳細な説明】
【技術分野】
【０００１】
本発明は、複写機、印刷機等の画像形成装置から出力されたシートを束状に整合し、その背部を接着剤その他で綴じ合わせて製本するシート後処理装置及びこれを用いた画像形成システムに係わり、順次搬出されるシート束を収納するスタック機構の改良に関する。
【背景技術】
【０００２】
一般に、コンピュータ、ワードプロセッサなどで作成した画像を印刷装置で印刷し、この印刷後の一連のシートを束状に整合してステップル綴じ、糊綴じなどを施すシート後処理装置は広く用いられている。このようなシート後処理装置は供給口から給送されたシートを綴じ合わせる製本装置として構成されるか、或いは複写機などの印刷装置の排紙口に付設され、この排紙口からのシートを綴じ合わせる画像形成システムとして知られている。特に最近、各種業務用の冊子などを必要とする都度タイムリーに製本仕上げして出力する画像形成システムがオンデマンド印刷として活用されるに至っている。
【０００３】
従来このような製本装置としては、例えば特許文献１に、画像形成装置の排紙口に第１の製本装置を、その下流側に第２の製本装置をそれぞれ連続して配置し、画像形成装置で印刷されたシートを第１の製本装置でこれを束状に綴じ合わせて排紙スタッカに搬出する。また第１の製本装置で綴じ合わせた束状シートに第２の製本装置で表紙シートを装丁して排紙スタッカに搬出するシステム装置が提案されている。同様に特許文献２には画像形成装置の排紙口に製本装置を配置し、排紙口からの印刷シートを束状に集積してその背部に接着糊を塗布し、このシート束を表紙シートでくるみ綴じして排紙スタッカに収納するシステム装置が提案されている。
【０００４】
このように画像形成装置から搬出された印刷シートを束状に部揃えして綴じ合わせ、或いは表紙シートでくるみ綴じして自動的に装丁する装置は既に知られている。そして束状に装丁したシート束はベルトなどの搬送手段で排紙スタッカに搬出される。この場合排紙スタッカを製本装置の外部にシート束が装置外部に露出するように配置して使用者がこのスタッカから製本処理したシート束を取り出す装置構成と、排紙スタッカを装置内部に配置して使用者が装置からスタッカを引き出してシート束を取り出す装置構成がそれぞれ知られている。
【特許文献１】特開２００２−２８３７６９号公報（図１）
【特許文献２】特開２００３−２９２２３０号公報（図１）
【発明の開示】
【発明が解決しようとする課題】
【０００５】
上述のように連続して搬出されるシートを束状に綴じ合わせて冊子状に仕上げる後処理装置においては、連続処理中にオペレータがスタッカから適時シート束を取り出して確認する必要がある。これは例えば表紙シートが正しいか、綴じ合わせ仕様の設定が正しいか、或いは接着工程で確実に綴じ合わせられているかなど仕上がり状態を確認することがある。特に大量の冊子を連続処理する場合には、その初期段階で確認しなければ連続処理した全ての冊子に誤処理を施すことに帰し、また連続処理の途上でも接着不足、落丁など装置動作に異常がないか確認する必要がある。
【０００６】
このようにシート束の仕上がり状態を確認する際、或いは連続処理中に順次仕上がったシート束を取り出す際、前掲特許文献のようにシート束を収納するスタッカが装置外部に配置されている構成では、印刷処理或いは製本処理中であってもスタッカからシート束を取り出すことが可能である。この場合には後続して搬出されるシート束の妨げとならないように配慮してタイミング良く仕上がりシートを取り出すことが要求される。
【０００７】
一方、スタッカを装置内部に内蔵する場合、例えばスタッカを装置フロント側（オペレータの操作側）に引き出す構成にすると装置全体を省スペースでコンパクトに設置することができ操作性も向上する。ところがシート束を取り出す際には製本装置或いは画像形成システム全体を停止しなければ処理中のシート或いはシート束が滞留してしまう問題が生ずる。特に製本装置では例えばシート束に接着糊を塗布する処理途上でオペレータがスタッカを引き出すとこの塗布処理を中断しなければならない。そこで従来例えばオペレータがスタッカを引き出すのを禁止するインターロック手段を設け、これを解除する操作で装置内の各処理を停止させ、再びスタッカが収納可能な状態に復帰するまで装置を中断させる処置を施している。従って、インターロック手段などの機構およびその制御が複雑となり、また装置の稼働効率が低下する問題があった。
【０００８】
そこで本発明は、収納スタッカに収納された仕上がりシートを必要な都度、随時取り出すことが出来、この取り出し動作中にも後続するシートの印刷、装丁処理などの動作を中断、停止する必要がなく、連続して効率的な後処理が可能であるシート後処理装置及びこれを用いた画像形成システムの提供をその主な課題としている。
【課題を解決するための手段】
【０００９】
上記課題を解決するために本発明は、シート束を順次積載収納するスタッカと、このスタッカ上流側のシート束移送経路にシート束を一時的に保持するバッファトレイ手段を設け、スタッカから仕上がりシートを取り出す際にこのバッファトレイ手段で後続するシート束を一時的に保持（ストック）するようにしたものである。従ってその手段は、順次搬出されるシートを束状に積載するシート積載手段と、前記シート積載手段からのシート束を冊子状に綴合わせる後処理手段と、前記後処理手段からのシート束を収納する収納位置と収納されたシート束を取り出す取出位置との間で移動可能に装置フレームに取付けられたスタック手段と、前記後処理手段から前記スタック手段にシート束を案内するシート束移送経路とを備える。このような構成においてシート束移送経路を移動中のシート束を一時的に保持する保持位置と前記シート束移送経路から退避した退避位置との間で移動可能に構成され、前記保持位置から前記退避位置に移動することで一時的に保持したシート束をスタック手段に受け渡すバッファトレイ手段と、前記バッファトレイ手段を前記保持位置と前記退避位置との間で移動させる移動手段と、前記スタック手段が前記収納位置にセットされているか否かを検出する検出手段と、前記検出手段の検出結果に基づいて前記移動手段を制御することにより前記バッファトレイ手段を移動させる制御手段と、を配置する。そして、前記後処理手段により綴合わされたシート束が前記シート束移送経路に移送される際、前記スタック手段が前記収納位置にセットされていると前記検出手段が検出した場合、前記制御手段が前記バッファトレイ手段を前記退避位置に位置させることにより、該シート束は前記シート束移送経路から前記スタック手段に受け渡され、前記後処理手段により綴合わされたシート束が前記シート束移送経路に移送される際、前記スタック手段が前記収納位置にセットされていないと前記検出手段が検出した場合、前記制御手段は、前記バッファトレイ手段を前記保持位置に位置させて前記バッファトレイ手段によりシート束を保持させ、前記移動手段により前記バッファトレイ手段を前記退避位置に移動させないように構成する。
【００１０】
次に本発明の画像形成システムは、シート上に画像を形成する画像形成装置と、この画像形成装置の排紙口から搬出されたシートを冊子状に綴合わせて製本するシート後処理装置とから構成する。そしてこのシート後処理装置を上述のように構成する。
【発明の効果】
【００１１】
本発明は、シート束を綴合わせるシート後処理手段とシート束を収納するスタック手段との間に配置されたシート束移送経路に移送中のシート束を一時的に保持するバッファトレイ手段を設けたものであるから、スタック手段から仕上がりシートを取り出す際には、その動作中に仕上がったシート束をバッファトレイ手段に保持することが出来、製本装置或いは画像形成システムを停止して処理を中断する必要がない。従ってオペレータは仕上がったシート束を後続するシートの処理タイミングに関係なく必要な都度、随時仕上がりシートを取り出すことが出来る。また、この動作中にも後続するシートの印刷、装丁処理などの動作を中断、停止することなく連続した効率的な後処理が可能である。特に上述の連続した効率的な後処理は、シート束を収納するスタック手段を装置本体のフロント側から引き出して仕上がりシートを取り出す装置構成を採用した場合に著しい効果を奏する。
【発明を実施するための最良の形態】
【００１２】
以下図示の好適な実施の態様に基づいて本発明を詳述する。図１は本発明のシート後処理装置Ｃをユニットとして内蔵した製本装置Ｂと、この製本装置Ｂに印刷シートを給送する画像形成装置Ａとから構成された画像形成システムの全体構成図である。図２は製本装置Ｂの要部拡大説明図であり、図３は製本装置Ｂのシート束収納部の説明図である。
【００１３】
本発明の画像形成システムは、図１に示すように複写機、プリンタ、印刷機などの画像形成装置Ａと、この画像形成装置Ａの下流側に付設された製本装置Ｂとから構成される。図示のものは、更に製本装置Ｂの下流側にフィニッシャ装置Ｄが付設されている。まず画像形成装置Ａは、給紙部１０と印刷部２０と排紙部３０で構成され、給紙部１０は所定の規格サイズで複数のシートが給紙カセット１１に収納され、この給紙カセット１１にはシートを１枚ずつ分離給送する給紙手段が設けられ、指示されたサイズのシートを給紙経路１２に繰り出すようになっている。この給紙経路１２には印刷ドラムなどの印刷手段２１が配置され、図示のものは静電式印刷装置を示している。
【００１４】
印刷手段（感光体ドラム）２１の周囲には現像器２４とレーザ発信器２２とクリーニングブレード２３とが配置され、感光体ドラム２１上にレーザ発信器２２で静電潜像を形成し、現像器２４でトナーを付着させて画像をシート上に転写チャージャ２５で転写し、下流側に配置した定着器２６で定着する。そしてこのように印刷処理が施されたシートは排紙経路（排紙部）３０に送られ排紙口３１から搬出されるようになっている。また排紙経路３０には循環経路３２が連設され片面に印刷を施されたシートをスイッチバックさせて搬送方向を反転した後、印刷部２０に表裏反転して循環させる。そして裏面側に印刷を施した後、排紙口３１から排出される。この排紙口３１には通常シートを積載収容する排紙トレイが配置されるが、本システムでは排紙口３１に次の製本装置Ｂが付設される。
【００１５】
製本装置Ｂは、画像形成装置Ａの排紙口３１からシートを受け入れるシート搬入経路４０と、このシート搬入経路４０からのシートを束状に部揃えして整合するシート積載手段４１と、このシート積載手段４１からのシート束の一端縁（製本時の背部）に接着糊を塗布して冊子状に綴じ合わせる後処理手段４２と、後処理後のシート束を収納するスタック手段４３とから構成されている。そして上記シート積載手段４１からシート束Ｓ１を後処理位置に搬送するグリップ搬送手段４４が設けられ、シート積載手段４１で略々水平姿勢に集積したシート束Ｓ１をこれと直交する鉛直姿勢に方向変換した後、シート束Ｓ１の下端縁を後処理位置に位置付ける。後処理手段４２はシート束Ｓ１をステープル綴じするステープル装置で構成しても良いが、図示のものはシート束Ｓ１を表紙シートでくるみ綴じして表装するために、後処理手段４２は「接着剤塗布手段４５」と、シート束Ｓ１と表紙シートとの「綴合せ手段４６」とで構成してある。更に図示の後処理手段４２は表紙シートと綴じ合わせたシート束Ｓ１の周縁をトリミングカットする「裁断手段４７」を備えている。
【００１６】
一方、前記シート搬入経路４０には表紙シートを給送する表紙シート搬送経路４８が分岐して設けられ、この表紙シート搬送経路４８はグリップ搬送手段４４でシート束Ｓ１を搬送する後処理経路４９と交差するように配置されている。表紙シート搬送経路４８には画像形成装置Ａでタイトルなどを印刷された表紙シートが表紙シート搬送経路４８を介して後述する交差部Ｆに供給される。一方この表紙シートは画像形成装置Ａと別に準備されたインサータ装置（図示せず）から供給する構成であっても良く、この場合には表紙シート搬送経路４８はシート搬入経路４０とは別に独立した経路で構成することも可能である。
【００１７】
そして上記表紙シート搬送経路４８と後処理経路４９との交差部（図示矢視Ｆ）には綴合せ手段４６が配置されている。この綴合せ手段４６は、表紙シート搬送経路４８から給送された表紙シートと後処理経路４９から給送されたシート束Ｓ１を交差部Ｆで表紙シートのセンターラインにシート束Ｓ１の中心が一致するよう逆Ｔ字状に接合し、この状態で表紙シートを折り合わせる折ブレード４６ａと折ロール４６ｂとで構成されている。上記折ブレード４６ａは交差部Ｆに左右一対設けられ、それぞれ圧接・離間自在に構成されている。上記折ロール４６ｂは折ブレード４６ａの下流側に配置され、互いに対向する一対のローラ部材で構成されている。この折ブレード４６ａと折ロール４６ｂとで逆Ｔ字状に突き合わせられたシート束Ｓ１と表紙シートとをプレスして背部を形成する。尚図示４６ｃはシャツタプレートであり、上記後処理経路４９に進退自在に配置され、交差部Ｆで前記グリップ搬送手段４４によって表紙シートとシート束Ｓ１とを接合する際に表紙シートをバックアップ支持する。以下この状態のシート束を冊子状シートＳ２という。
【００１８】
上記綴合せ手段４６の下流側には折り合わせた冊子状シートＳ２の周縁を裁断する裁断手段４７が後処理経路４９に配置されている。この裁断手段４７は冊子状シートＳ２を旋回するターンテーブル４７ａと、冊子状シートＳ２を圧接保持するプレス手段４７ｃと、冊子状シートＳ２の周縁をカットする裁断ブレード４７ｂとで構成されている。ターンテーブル４７ａは上記折ロール４６ｂからの冊子状シートＳ２をグッリプして旋回し、下流側の裁断位置にシート周辺を例えば天部、地部、小口部の順に位置づけるように構成されている。またプレス手段４７ｃは冊子状シートＳ２を挟んで対向する台座部材と可動プレス部材とで構成され、裁断位置に冊子状シートＳ２を固定する。上記裁断ブレード４７ｂは平刃カッタで構成され、裁断位置に固定された冊子状シートＳ２を切断するようにカッタモータＭｃで往復動するように構成されている。
【００１９】
このように構成された製本装置Ｂは、画像形成装置Ａの排紙口３１から搬出されたシートをシート搬入経路４０から順次受け入れてシート積載手段４１上に集積して部揃えする。このシート束Ｓ１はグリップ搬送手段４４で鉛直姿勢に変換され、その下端縁に接着剤塗布手段４５で接着糊が塗布され、下流側の綴合せ手段４６で表紙シートにくるみ綴じされる。このように装丁された冊子状シートＳ２は必要に応じて裁断手段４７でその周縁をトリミングカットして切り揃えられ、後述するスタック手段４３に搬出される。
【００２０】
尚図１に示すように上記表紙シート搬送経路４８には排紙経路５０が連設され、この排紙経路５０にフィニッシャ装置Ｄが接続してある。このフィニッシャ装置Ｄは上述の製本処理を施さないシートを画像形成装置Ａからシート搬入経路４０、表紙シート搬送経路４８を経由して排紙トレイ５１に収納する。またこのフィニッシャ装置Ｄには上記製本処理と異なる後処理、例えばステープル綴じ、パンチ穴あけ、捺印スタンプなどの後処理機能（図示せず）を備えることも可能であり、これらの機能ユニットについては種々の機構が知られているので説明を省く。
【００２１】
そこで本発明は上述の後処理手段４２（図示のものは「接着剤塗布手段４５」と「綴合せ手段４６」と「裁断手段４７」とで構成されている。）で処理された冊子状シートＳ２を収納するスタック手段４３を以下の構成にしたことを特徴としている。
【００２２】
図３はスタック手段４３の全体構成を示す断面図であり、図４はこれに組み込まれたバッファトレイ手段６７の移動機構を示す斜視図である。スタック手段４３は後処理経路４９で後処理された冊子状シートＳ２を収納する適宜形状（図示のものはボックス形状）のハウジング６０と、このハウジング６０内に冊子状シートＳ２を積載保持するメイントレイ６１とから構成されている。メイントレイ６１は図示のように冊子状シートＳ２を倒立状態で支持するように水平方向から所定角度傾斜して冊子状シートＳ２の背面をバックアップ支持している。
【００２３】
一方冊子状シートＳ２の下端面（背部）はハウジング６０の底面部に配置されたキャリアベルト６２に支持されている。この冊子状シートＳ２の背面を支持するメイントレイ６１は板状プレートで構成され、図３左右方向に移動可能にハウジング６０に支持されている。またキャリアベルト６２はベルト部材で構成され、図３左右方向に移動可能に支持されている。つまりハウジング６０の底部には図３左右方向にガイドレール（図示せず）が設けてあり、このガイドレールにメイントレイ６１が移動可能に嵌合支持されている。そしてハウジング６０の底面部には無担ベルトから成るキャリアベルト６２が冊子状シートＳ２の下端面を担持するように配置してあり、このキャリアベルト６２に上記メイントレイ６１が連結してある。そこでキャリアベルト６２を構成する無担ベルトは左右一対のプーリ６２ａ、６２ｂに支持され、一方のプーリにトレイ歩進モータＭ１（例えば正逆転可能なステッピングモータで構成する。）が連結されている。従ってこのトレイ歩進モータＭ１を正逆転すればメイントレイ６１は図３左右方向に移動することとなり、同時にこのメイントレイ６１と同一量ずつキャリアベルト６２も左右動することとなる。
【００２４】
そしてこのメイントレイ６１とキャリアベルト６２を装備したハウジング６０は装置フレーム６３に図３前後方向、つまり製本装置Ｂのフロント側（図１紙面表面方向）に引出状に移動可能に支持されている。このハウジング６０のフロント側及びリア側への移動はオペレータが手動で移動するように構成され、ハウジング６０を装置リア側の所定位置にセットした状態で冊子状シートＳ２を順次受け入れて収納し、フロント側に引き出してオフセットした状態でメイントレイ６１上の冊子状シートＳ２を取り出せるようになっている。尚このハウジング６０の開閉状態は適宜のセンサ手段（図示せず）でハウジング６０内のメイントレイ６１が収納位置（ホームポジション）に位置するか、それ以外に位置するか（取出位置若しくは移動途中）検出されるようになっている。以下このセンサ手段をメイントレイセンサ６１Ｓ（図５参照）という。
【００２５】
一方上記ハウジング６０には、前述の後処理手段４２の下流側に配置された冊子状シートＳ２の受入口６４が設けられている。後処理手段４２は前述のように後処理経路４９に配置され、この後処理経路４９の出口端には束搬出ローラ６５が設けられ、上記受入口６４はこの束搬出ローラ６５から冊子状シートＳ２をハウジング６０内に受け入れる位置に設けられている。尚図示のハウジング６０は図３上面全体が開放されている。そこで、後処理手段４２の最終処理部（図示のものは裁断手段４７）から冊子状シートＳ２をメイントレイ６１の最上部に案内するシート束移送経路６６が図示位置に配置されている。
【００２６】
上記シート束移送経路６６には次のバッファトレイ手段６７とガイド部材６８が設けられ、ガイド部材６８は上記束搬出ローラ６５からの冊子状シートＳ２をメイントレイ６１の最上位に案内するように構成される。バッファトレイ手段６７はメイントレイ６１と同様に冊子状シートＳ２の背面を支持するトレイ部材（以下サブトレイという）で構成されている。またガイド部材６８は受入口６４から落下する冊子状シートＳ２をメイントレイ６１側に案内する傾斜面６８ａを備えている。
【００２７】
従って前記シート束移送経路６６は受入口６４から冊子状シートＳ２が自由落下する経路で構成され、この経路内に傾斜面６８ａを有するガイド部材６８が配置される。この傾斜面６８ａに沿って冊子状シートＳ２はメイントレイ６１の最上位（トレイに積載されている冊子状シートＳ２の最上部）に案内されることとなる。このガイド部材６８が冊子状シートＳ２をメイントレイ６１側に移送する移送手段を構成し、同時に受入口６４から冊子状シートＳ２をサブトレイ６７に移送する。
【００２８】
また上記サブトレイ６７は上記シート束移送経路６６内に次のように進退自在に配置され、その移動機構は図４に示すようにサブトレイ６７は装置フレームにシート束移送経路６６のシート移送方向と直交する方向（前記ハウジング６０の移動方向と同一方向）にスライド移動可能に支持されている。そしてその移動方向に配置した駆動ベルト６９にサブトレイ６７は固定され、この駆動ベルト６９のプーリ６９ａには正逆転駆動モータＭ２が連結されている。この駆動モータＭ２でサブトレイ６７はシート束移送経路６６内の保持位置と、このシート束移送経路６６から退避した退避位置との間で移動制御される。図示６７Ｓはサブトレイセンサであり、サブトレイ６７のホームポジション（図示のものは保持位置）を検出するように配置されている。このサブトレイセンサ６７Ｓからの信号でサブトレイ６７を以下のように位置制御する。
【００２９】
図５は製本装置Ｂの制御ＣＰＵ７１の構成を示すブロック図であり、上記サブトレイ６７の移動に係わる制御部のみを示している。制御ＣＰＵ７１にはＲＯＭ７２とＲＡＭ７３とタイマユニット７４が内蔵されている。そしてＲＯＭ７２には図６または図１０に示す動作手順に対応する制御プログラムが格納され、制御ＣＰＵ７１はＲＯＭ７２に格納された制御プログラムを読み出し、実行して後述する各部の制御を行う。このとき制御ＣＰＵ７１はＲＡＭ７３に記憶された制御データ（各後処理動作の基準データなど）を読出し、タイマユニット７４は各部の動作時間などの計測を行うように構成されている。そして制御ＣＰＵ７１の入力ポートにはサブトレイ６７の前記サブトレイセンサ６７Ｓ等が接続されている。また、制御ＣＰＵ７１の出力ポートにはサブトレイ６７の駆動モータＭ２の駆動回路が接続されている。また、制御ＣＰＵ７１はシリアルインターフェイス部（Ｉ／Ｏ）７５を備えており、画像形成装置Ａの制御部と制御データと制御信号の授受を行うようになっている。
【００３０】
そこで図６に基づいて上記制御プログラムの動作手順を説明する。先に説明した後処理手段４２では、その最終工程として表紙シートにくるみ綴じされた冊子状シートＳ２は、裁断手段４７でその周縁をトリミングカットされている。このすべての予定（設定）された後処理が完了すると、上記制御ＣＰＵ７１は「冊子状シートのスタック手段への搬入」「冊子状シートのサブトレイ保持」「メイントレイの状態判断」「サブトレイからメイントレイへの移送」「サブトレイの保持位置復帰」の順に以下のように制御する。
【００３１】
「冊子状シートのスタック手段への搬入」
まず制御ＣＰＵ７１は、上述の後処理手段４２の動作タイミング、例えば前記裁断手段４７の動作終了信号を受けて束搬出ローラ６５を回転させる（図６に示すＳ１０１；以下同様）。すると冊子状シートＳ２は接着剤が塗布された端縁（背部）を下にした略鉛直姿勢で図７（ａ）に示す状態で受入口６４に送られる。その後冊子状シートＳ２は同図（ｂ）に示す状態で束搬出ローラ６５から離脱し、その下端縁（背部）はガイド部材６８上に落下し、前記ハウジング６０内に進入する。制御ＣＰＵ７１は冊子状シートＳ２がハウジング６０内に進入する見込み時間「Ｔ１秒」（Ｓ１０２）の後、束搬出ローラ６５を停止（Ｓ１０３）する。
【００３２】
「冊子状シートのサブトレイ保持」
このときサブトレイ６７は図７（ｂ）のシート束移送経路６６内の保持位置に位置している。そして下端面（背部）がガイド部材６８に突き当たった冊子状シートＳ２は傾斜面６８ａに沿って同図左方向に移動し、図８（ａ）の状態でサブトレイ６７上に保持される。
【００３３】
「メイントレイの状態判断」
次に制御ＣＰＵ７１は「メイントレイ６１が収納位置にセットされているか否か」をメイントレイセンサ６１Ｓからの信号で判断する（Ｓ１０４）。この判断は前述のメイントレイ６１に配置されたメイントレイセンサ６１Ｓが収納位置（ホームポジション）に位置するときはＯＮ状態、それ以外の取出位置又は移動途中のときはＯＦＦ状態であるため、このメイントレイセンサ６１Ｓからの信号で判断する。
【００３４】
「サブトレイからメイントレイへの移送」
上記判断でメイントレイセンサ６１ＳがＯＮ状態のときには、制御ＣＰＵ７１はサブトレイ６７を保持位置から退避位置に移動する。図６に示すように制御ＣＰＵ７１は前述の駆動モータＭ２を起動（ＯＮ）する（Ｓ１０５）。この駆動モータＭ２の回転でサブトレイ６７は駆動ベルト６９を介してシート束移送経路６６の保持位置（ホームポジション）から経路外の退避位置方向に移動する。その後、このサブトレイ６７が退避位置に移動する見込み時間「Ｔ２秒」（Ｓ１０６）の後に駆動モータＭ２を停止（ＯＦＦ）（Ｓ１０７）する。このサブトレイ６７の保持位置から退避位置への移動でサブトレイ６７に保持されている冊子状シートＳ２は図８（ｂ）に示すようにメイントレイ６１に受け渡される。
【００３５】
一方、上記ステップＳ１０４でメイントレイ６１が収納位置にセットされていない（メイントレイセンサ６１ＳがＯＦＦ状態）ときには、制御ＣＰＵ７１はサブトレイ６７をホームポジションであるシート束移送経路６６内の保持位置に維持する。制御ＣＰＵ７１はこのサブトレイ６７が保持位置に位置付けられているのをサブトレイセンサ６７Ｓで確認した後、制御ＣＰＵ７１は上記ステップ１０１に戻り、前記束搬出ローラ６５を駆動回転して後続する冊子状シートＳ２をサブトレイ６７上に積み重ねて保持する。
【００３６】
尚、上記動作でメイントレイセンサ６１ＳがＯＦＦ状態となるときは例えばオペレータが前記ハウジング６０を装置フロント側に引き出し、メイントレイ６１は取出位置或いはその移動途中のときである。また、サブトレイ６７上には予め設定した数部の冊子状シートＳ２を保持するスペースが確保されている。
【００３７】
次に制御ＣＰＵ７１は前記ステップＳ１０４で「メイントレイ６１が収納位置にセットされた段階」で上記ステップＳ１０５からステップＳ１０７を実行する。この動作でサブトレイ６７は保持位置から退避位置に移動し、保持されている冊子状シートＳ２をメイントレイ６１上に引き渡す。従って、制御ＣＰＵ７１はメイントレイ６１が収納位置に復帰（再セット）するまで順次受入口６４に搬出される冊子状シートＳ２をサブトレイ６７上に保持し、メイントレイ６１が再セットされたとき、それまで保持していた冊子状シートＳ２をサブトレイ６７からメイントレイ６１に引き渡すこととなる。
【００３８】
「サブトレイの保持位置復帰」
次いで制御ＣＰＵ７１は上記ステップＳ１０５〜Ｓ１０７の動作で保持位置から退避位置に移動したサブトレイ６７を保持位置に移動セットする。これは駆動モータＭ２を先と逆方向に回転駆動（Ｓ１０８）する。そして制御ＣＰＵ７１はサブトレイセンサ６７Ｓがホームポジション（保持位置）を検出（Ｓ１０９）したセンサのＯＮ信号で駆動モータＭ２を停止（Ｓ１１０）する。尚、上記動作の過程で制御ＣＰＵ７１はメイントレイ６１の前記トレイ歩進モータＭ１を制御してメイントレイ６１上に積載される冊子状シートＳ２の厚さ量に応じて図８（ｂ）左方向にメイントレイ６１を後退歩進させる。
【００３９】
以上の動作でハウジング６０が製本装置Ｂに装着されメイントレイ６１がシート束移送経路６６に対応する位置（収納位置）に位置するときには、サブトレイ６７は、冊子状シートＳ２の搬入の都度、シート束移送経路６６の保持位置（サブトレイセンサ６７ＳのＯＮ位置）とシート束移送経路６６から退避した退避位置との間の移動を繰り返してメイントレイ６１に冊子状シートＳ２を引き渡して収納する。また、メイントレイ６１が収納位置にないとき（取出位置又はその移動途中）にはサブトレイ６７は保持位置でシート束移送経路６６に搬入される冊子状シートＳ２を受け取り保持する。その後メイントレイ６１が収納位置に復帰（再セット）するとメイントレイセンサ６１ＳのＯＮ信号でサブトレイ６７は保持位置から退避位置に移動し、保持している冊子状シートＳ２をメイントレイ６１に引き渡すこととなる。
【００４０】
次に図９に示すものは図３に示すバッファトレイ手段（サブトレイ）の構造を異ならせた実施形態を示す。図３と同一の構成については同一符合を付して説明を省略する。図示のものはバッファトレイ手段を昇降レバー８０と開閉ストッパ８１とで構成する場合である。先のものと同様にハウジング６０にはメイントレイ６１が図示左右方向に移動自在に装備してあり、このハウジング６０の受入口６４にはシート束移送経路６６が配置してある。そしてこのシート束移送経路６６には先と同様に傾斜面６８ａを有するガイド部材６８が設けてある。そこで上記シート束移送経路６６には冊子状シートＳ２の背面上部を支持する昇降レバー８０と背面下部を支持する開閉ストッパ８１が次のように設けられている。
【００４１】
まず、昇降レバー８０は装置フレームに形成したガイド溝に沿って保持位置（図示実線）と退避位置（図示鎖線）との間で移動可能に支持されている。この保持位置は昇降レバー８０が上記シート束移送経路６６を移動する冊子状シートＳ２と係合して保持する位置に配置され、退避位置は移動する冊子状シートＳ２から離間した位置に配置されている。また、開閉ストッパ８１は例えば前記ガイド部材６８の傾斜面６８ａに回動自在に支持され、この傾斜面６８ａに沿って移動する冊子状シートＳ２の背面を係止する保持位置（図示実線位置）と傾斜面６８ａに埋没した退避位置（図示鎖線位置）との間で移動可能に支持されている。
【００４２】
そして上記昇降レバー８０と開閉ストッパ８１には図示しない駆動モータＭ３が連結され、その一方向回転で、昇降レバー８０と開閉ストッパ８１とは鎖線位置（退避位置）から保持位置にそれぞれ移動し、駆動モータＭ３の逆方向回転で保持位置から退避位置に移動するように連結されている。このような構成で、前述の駆動モータＭ２と同様に上記駆動モータＭ３を駆動制御する。この場合の駆動モータＭ３の制御は前述の図５に示す構成と同一構成で制御すれば良い。
【００４３】
また前記図６のフローチャートに従った制御も可能であるが、次のように制御しても良い。つまり図１０に示すフローチャートに従ってこれを説明すると、図６に示す先のものはメイントレイ６１が収納位置のときにもバッファトレイ手段であるサブトレイ６７が搬入された冊子状シートＳ２を一旦受け取り、その後メイントレイ６１にこの冊子状シートＳ２を引き渡す動作である。これに対し図１０に示すものはメイントレイ６１が収納位置のときにはバッファトレイ手段（昇降レバー８０と開閉ストッパ８１）はシート束移送経路外の退避位置に待機し、メイントレイ６１が収納位置にないとき（前記ハウジング６０が引き出されたとき、あるいは引き出された途中位置にあるとき）バッファトレイ手段８０、８１がシート束移送経路６６の保持位置に移動する動作である。以下図１０のフローチャートに従って説明する。
【００４４】
「冊子状シートのスタック手段への搬入」
前述のものと同様に、制御ＣＰＵ７１は、後処理手段４２の動作タイミング信号（排紙指示信号（Ｓ１２０））を受けて束搬出ローラ６５を回転させる（Ｓ１２１）。この回転で冊子状シートＳ２は略々鉛直姿勢で受入口６４に送られ、前記ハウジング６０内に進入する。制御ＣＰＵ７１は冊子状シートＳ２がハウジング６０内に進入する見込み時間「Ｔ１秒」（Ｓ１２２）の後、束搬出ローラ６５を停止（Ｓ１２３）する。
【００４５】
「メイントレイの状態判断」
次に制御ＣＰＵ７１は、上記排紙指示信号から所定時間「Ｔ１秒」が経過（Ｓ１２２）した段階で「メイントレイ６１が収納位置にセットされているか否か」を判断（Ｓ１２４）する。この判断は前述のものと同様にメイントレイセンサ６１Ｓからの信号の「ＯＮ」「ＯＦＦ」で判断する。
【００４６】
「バッファトレイ手段の動作（１）」
上記判断で「メイントレイ６１が収納位置にセットされている」ときには制御ＣＰＵ７１は昇降レバー８０と開閉ストッパ８１（以下両者をバッファトレイ手段という）が保持位置にあるか否か（Ｓ１２５）を判断する。そしてバッファトレイ手段８０、８１が保持位置のときには制御ＣＰＵ７１は前述の駆動モータＭ３を起動（ＯＮ）する（Ｓ１２６）。この駆動モータＭ３の回転でバッファトレイ手段８０、８１はシート束移送経路６６の保持位置（ホームポジション）からシート束移送経路外の退避位置方向に移動する。その後、このバッファトレイ手段８０、８１が退避位置に移動する見込み時間「Ｔ２秒」経過後（Ｓ１２７）に駆動モータＭ３を停止（ＯＦＦ）（Ｓ１２８）する。このバッファトレイ手段８０、８１の保持位置から退避位置への移動で保持されている冊子状シートＳ２はメイントレイ６１に受け渡される。また、上記ステップＳ１２５の判断で「バッファトレイ手段が保持位置にない」ときには制御ＣＰＵ７１はバッファトレイ手段８０、８１をその状態を維持する。そして制御ＣＰＵ７１は次の冊子状シートＳ２の搬出に備え、その排紙指示信号を待つステップＳ１２０に戻る。尚、上記動作で前記バッファトレイ手段８０、８１には保持位置（ホームポジション）を検出するセンサ手段が配置してあり、制御ＣＰＵ７１はこのセンサ手段からの信号で判断する。
【００４７】
「バッファトレイ手段の動作（２）」
上記ステップＳ１２４の判断で「メイントレイ６１が収納位置にセットされていない」ときには、制御ＣＰＵ７１はバッファトレイ手段８０、８１が保持位置にあるか否かを判断（Ｓ１２９）する。そしてバッファトレイ手段８０、８１が「保持位置」のときには制御ＣＰＵ７１はその状態を維持し、制御ＣＰＵ７１は次の冊子状シートＳ２の搬出に備え、その排紙指示信号を待つステップＳ１２０に戻る。また制御ＣＰＵ７１は上記ステップＳ１２９の判断で「保持位置に位置しない（退避位置）とき」にはバッファトレイ手段８０、８１を保持位置に移動する。この動作は制御ＣＰＵ７１が前述の駆動モータＭ３を先と逆方向に回転駆動（Ｓ１３０）する。そして制御ＣＰＵ７１はセンサ手段がホームポジション（保持位置）を検出（Ｓ１３１）したホームポジションセンサのＯＮ信号で駆動モータＭ３を停止（Ｓ１３２）する。そして制御ＣＰＵ７１は次の冊子状シートＳ２の搬出に備え、その排紙指示信号を待つステップＳ１２０に戻る。
【００４８】
この動作でバッファトレイ手段８０、８１はシート束移送経路６６で保持位置に位置付けられ搬入する冊子状シートＳ２を昇降レバー８０と開閉ストッパ８１で係止して保持することとなる。この場合上記動作の過程で制御ＣＰＵ７１はメイントレイ６１の前記トレイ歩進モータＭ１を制御して積載される冊子状シートＳ２の厚さ量に応じてメイントレイ６１を後退歩進させることは前述のものと同様である。
【００４９】
以上本発明を詳述したが、本発明にあって後処理手段はシート束を表紙シートでくるみ綴じする場合を示したが、表紙シートで表装することなく単にシート束を綴じ合わせても良く、またシート束を綴じる手段としては接着剤塗布手段に代えてステープル綴じ手段、或いは感熱性の接着テープで加熱綴じしても良いことは勿論である。また、前述の後処理手段は「接着剤塗布手段」「綴合せ手段」「裁断手段」とで構成する場合について説明したが、この裁断手段を備えない装置或いは冊子状に装丁したシート束の周縁を断裁しない動作モードであっても上述の本発明の構成に何等変わりはなくそれぞれ採用可能である。
【図面の簡単な説明】
【００５０】
【図１】本発明の一実施形態に係る画像形成システムの概略構成図。
【図２】図１のシステムにおける製本装置の要部を示す断面図。
【図３】図２の装置におけるスタック手段の構成を示す説明図。
【図４】図２の装置におけるバッファトレイ手段の移動機構を示す説明図。
【図５】図２の装置における制御構成を示すブロック図。
【図６】図２の装置における制御動作を示すフローチャート。
【図７】メイントレイに冊子状シートを収納する状態説明図であり、（ａ）は搬入された状態を示し、（ｂ）は収納された冊子状シートの状態を示す。
【図８】メイントレイが経路内に再セットされた状態における冊子状シートの状態の説明図であり、（ａ）はサブトレイに冊子状シートが保持された状態、（ｂ）はサブトレイからメイントレイに冊子状シートを移送する状態をそれぞれ示す。
【図９】図３の装置におけるバッファトレイ手段の異なる実施形態を示す説明図。
【図１０】図９の装置における制御動作を示すフローチャート。
【符号の説明】
【００５１】
４０  シート搬入経路
４２  後処理手段
４３  スタック手段
４９  後処理経路
６１  メイントレイ
６１Ｓ  メイントレイセンサ
６２  キャリアベルト
６５  束搬送ローラ
６６  シート束移送経路
６７  サブトレイ
６７Ｓ  サブトレイセンサ
６８  ガイド部材
６８ａ  傾斜面
８０  昇降レバー
８１  開閉ストッパ
Ｓ１  シート束
Ｓ２  冊子状シート
【図１】
0004793859.tif 000002
【図２】
0004793859.tif 000003
【図３】
0004793859.tif 000004
【図４】
0004793859.tif 000005
【図５】
0004793859.tif 000006
【図６】
0004793859.tif 000007
【図７】
0004793859.tif 000008
【図８】
0004793859.tif 000009
【図９】
0004793859.tif 000010
【図１０】
0004793859.tif 000011